(57)【特許請求の範囲】
【請求項１】
弦とハンマーシャンクとの間に配置される回動軸と、
上記回動軸の周面から一方向に突出され、上記回動軸の第一の回動位置において上記ハンマーシャンクの先端に設けられたハンマーが上記弦を叩くのを阻止し、上記回動軸の第二の回動位置において上記ハンマーが上記弦を叩くのを阻止しない消音バーと、
ピアノへの取り付け時に回動可能であり、一方の回動遊端において上記回動軸を支持する回動アーム本体部と、上記回動アーム本体部の他方の回動遊端に着脱可能に取り付けられている位置決め部とを含む回動アームと、
ハンマーレールに取り付けられ、上記回動アームを固定する回動アーム固定具と、
を備え、
上記位置決め部は、上記消音バーの位置を微調整する微調整金具を介して、上記回動アーム固定具に固定されている、
ことを特徴とするピアノの消音装置。
【請求項２】
請求項１に記載のピアノの消音装置において、
上記位置決め部は、ねじにより上記回動アーム本体部の他方の回動遊端に着脱可能に取り付けられている、
ことを特徴とするピアノの消音装置。
【請求項３】
請求項１又は２に記載のピアノの消音装置において、
上記位置決め部には、上記回動アームの回動面に対して平行な方向に、ねじが突出して設けられており、
上記位置決め部と上記微調整金具とが所定の間隔を保つように、上記ねじと上記微調整金具とが固定されている、
ことを特徴とするピアノの消音装置。
【請求項４】
請求項２又は３に記載のピアノの消音装置において、
上記位置決め部のねじ以外の部分は、樹脂からなり、
上記ねじがインサート成形されている、
ことを特徴とするピアノの消音装置。
【請求項５】
請求項１から４の何れかに記載のピアノの消音装置を備える消音装置付きピアノ。
【発明の詳細な説明】
【技術分野】
【０００１】
この発明は、ハンマーの打弦を阻止することにより弦から音を発生させない代わりに、押鍵に応じて電子的に音を発生させる、グランドピアノ等のアコースティックピアノに取り付け可能なピアノの消音装置及びそのピアノの消音装置を備えた消音装置付きピアノに関する。
【背景技術】
【０００２】
図４を参照して、グランドピアノの構成の概要を説明する。グランドピアノは、図４に示すように、床面と平行に支持される棚板１６と、この棚板１６の周縁に所定の高さを維持してめぐらされ、前方（鍵が配置される方向）に開放面を形成する側板１７と、この側板１７の互いに対向する面の上側の相互に差し渡されたピン板２８と、このピン板２８と側板１７とによって囲まれる平面に実装されるフレーム８と、このフレーム８とピン板２８の上に設けられたチューニングピン９と、このチューニングピン９と図示していないこまピンとにより両端が固定され、所望の音高の音を発生する弦１０とを備える。
【０００３】
棚板１６と側板１７とピン板２８とによって囲われる空洞６に、図５に示すように、鍵盤メカユニット２０が配置される。鍵盤メカユニット２０は、棚板１６の上に配置される基台２１と、この基台２１の上に各弦１０に対応して設けられた鍵１９と、この鍵１９の押鍵によって動かされるレペティション装置７と、このレペティション装置７により力を受けて動くハンマーシャンク１１と、このハンマーシャンク１１の回動遊端に取り付けられ、弦１０を叩いて音を発生させるハンマー１４と、ハンマーシャンク１１を回動自在に支持するハンマーレール２５と、このハンマーレール２５を基台２１に固定するブラケット２６とを備える。鍵盤メカユニット２０は、ピアノの演奏時には図５に示す位置にあるが、調律時には空洞６から引き出されて、鍵１９の歯並びやレペティション装置７の調整等が行われる。
【０００４】
次に、図６を参照して、ピアノの消音装置の仕組みについて簡単に説明する。なお、以下に述べる回動アーム２３及び回動アーム固定具２４から構成されるピアノの消音装置は、公知の技術、公然実施されている技術及び文献により公知になっている技術ではない。
【０００５】
弦１０とハンマーシャンク１１の間の空間に回動軸１２が配置され、回動軸１２の周面から一方向に消音バー１３が突出している。回動軸１２は、回動アーム２３によって回動自在に支持されており、図示していない回動機構により回動される。回動アーム２３と回動アーム２３を固定する回動アーム固定具２４の構造については後述する。消音バー１３は回動軸１２の回動に伴い第一の回動位置と第二の回動位置の間で移動する。図６において、実線で示した消音バー１３の位置が、回動軸１２が第一の回動位置に位置する状態であり、一点鎖線で示した消音バー１３の位置が、回動軸１２が第二の回動位置に位置する状態である。
【０００６】
消音バー１３が第一の回動位置に位置する場合（この場合を「消音モード」とする。）、押鍵によってハンマーシャンク１１は跳ね上るが、ハンマーシャンク１１の先端に設けられたハンマー１４が弦１０を叩く前にハンマーシャンク１１が消音バー１３に当たる。したがって、この場合、ハンマー１４が弦１０を叩くことはないため、弦１０から音は発生しない。図６に、消音バー１３との衝突時におけるハンマーシャンク１１及びハンマー１４を二点鎖線で示す。なお、消音バー１３の先端には緩衝材１５が取り付けられ、この緩衝材１５はハンマーシャンク１１と消音バー１３との衝突により発生する衝突音を緩和する。また、消音モードにおいては、図５に示す、鍵１９の下に配置された押鍵検出スイッチ１８が鍵１９の押鍵の有無及びその強弱を検出して、押鍵の態様に応じた音を電子的に発生させる。
【０００７】
一方、消音バー１３が第二の回動位置に位置する場合（この場合を「アコースティックモード」とする。）、押鍵によってハンマーシャンク１１は跳ね上るが、ハンマーシャンク１１が消音バー１３に当たることはない。したがって、この場合、ピアノの消音装置が取り付けられていない場合と同様に、ハンマーシャンク１１の先端に設けられたハンマー１４は弦１０を叩き、これにより弦１０から音が発生する。
消音装置付きピアノの演奏者は、回動軸１２の回動位置を切り替える手段により、消音モードとアコースティックモードとを自由に選択することができる。
【０００８】
次に、図６から８を参照して、回動軸１２を支持し、ピアノの消音装置の取り付け時に回動可能な回動アーム２３と、ピアノに取り付けられ、回動アーム２３を固定する回動アーム固定具２４とを説明する。
まず、回動アーム固定具２４について説明する。回動アーム固定具２４は、互いに対向する二枚の平板部（図７参照）と、これらの平板部を連結する連結部２４ｂとから構成され、この例では、一枚の金属板をコ字型に折り曲げることにより形成されている。
【０００９】
平板部に形成された切欠２４ａをハンマーレール２５に引っ掛け、連結部２４ｂに形成された第一のねじ穴２４ｄに螺合されたアーム固定具取付ねじ３３の先端をハンマーレール２５に突き当てることにより、回動アーム固定具２４とハンマーレール２５が固定される。また、回動アーム固定具取付ねじ３３は、ねじ緩止ナット３４と連結部２４ｂのダブルナット効果によって固定されてその緩みが防止される。
【００１０】
図８に、一般的なグランドピアノにピアノの消音装置を取り付けて上から見たときの状態を示す。図８に示すように、複数のハンマーシャンク１１及び複数のハンマー１４がハンマーレール２５の延伸方向に配列されているが、互いに隣接するハンマーシャンク１１の間に、ハンマーレール２５を固定するためのブラケット２６が設置される少し広めの空間ｓが空いている場所が数箇所ある。回動アーム固定具２４は、これらの空間ｓ及びハンマーレール２５の両端にそれぞれ設置される。具体的には、回動アーム固定具２４は、ハンマーレール２５を基台２１に固定するブラケット２６とぶつからないようにするために、回動アーム固定具２４の２枚の平板部の間にブラケット２６が位置するように、ハンマーレール２５に取り付けられる。
【００１１】
再度、図６，７を参照して説明をする。回動アーム２３のピアノの奥側（図６では紙面に対して右側）に位置する後方突出部２３ａの先端に回動軸１２が回動自在に支持される。回動アーム２３の中央突出部２３ｂには、回動支持軸２３ｃが回動アーム２３の面に対して垂直に突出して設けられている。回動支持軸２３ｃは、その外周にねじが切られており、テーパブッシュ２９と、回動アーム固定具２４に形成された皿穴２４ｃとに挿入されて、軸固定ナット３６により、回動アーム２３が回動アーム固定具２４に対して回動自在となるように締結される。テーパブッシュ２９には、円周の一部を切断するように溝が形成されると共に軸方向に沿って傾斜部を設けられている。換言すれば、テーパブッシュ２９は、略円錐台形であり軸方向の断面がｃ字型である。テーパブッシュ２９は、皿穴２４ｃに押し当てられるように取り付けられ、軸固定ナット３６の締結によって回動支持軸２３ｃを締め付けるように構成される。テーパブッシュ２９は、ポリアセタール等の樹脂や真鍮等の金属で形成される。
【００１２】
また、回動アーム２３と回動アーム固定具２４の互いに対向する面にポリアセタール等の樹脂からなる緩衝材４０が設けられる。
【００１３】
回動アーム固定具２４の連結部２４ｂに形成された第二のねじ穴２４ｄ’（図７参照）には雌ねじが切られている。微調整金具固定ねじ３５は、微調整金具３０の穴３０ｂに挿入され、第二のねじ穴２４ｄ’に螺合される。これにより、微調整金具３０は、回動アーム固定具２４に固定される。
【００１４】
この場合、ねじ穴２４ｄ’に雌ねじを切る代わりに、微調整金具固定ねじ３５としてセルフタップねじを使って自ら締結相手（ねじ穴２４ｄ’）の下穴にねじを切りながら締結してもよい。回動アーム２３の前方突出部２３ｄには折曲部２３ｅが形成され、その折曲部２３ｅにはねじ２３ｆが突出して設けられている。ねじ２３ｆは、微調整金具３０の裏側に位置する高さ決めナット３１に螺合されて、微調整金具３０に形成された長穴３０ａに挿入される。回動アーム２３は、自重、回動軸１２及び消音バー１３の重みにより、回動支持軸２３ｃを中心として、図６の紙面における時計回りに回動しようとする。しかし、ねじ２３ｆに螺合された高さ決めナット３１が微調整金具３０に当たり、回動アーム２３の回動が阻止される。
【００１５】
この構成により、高さ決めナット３１のねじ２３ｆへの取り付け位置を変えると、回動アーム２３の回動阻止位置を変えることが可能となり、その結果として回動軸１２及び消音バー１３の高さ方向の位置を調整することが可能となる。
【００１６】
消音バー１３の位置が決まったら、微調整金具３０の表裏を、高さ決めナット３１及び微調整金具の表側に位置する微調整固定ナット３２で挟みつけて固定する。これにより、回動アーム２３及び消音バー１３の位置が固定される。
【００１７】
ねじ２３ｆ、微調整金具３０、高さ決めナット３１、微調整固定ナット３２及び微調整金具固定ねじ３５からなる消音バー支持位置微調手段は、このように回動軸１２及び消音バー１３の位置を微調整する機能を有する。
【００１８】
このように、回動アーム２３は、回動支持軸２３ｃ及び微調整金具３０を介して、回動アーム固定具２４に固定される。一方、回動支持軸２３ｃに締結された軸固定ナット３６（図７参照）を緩めると共に、微調整金具３０による回動アーム２３と回動アーム固定具２４との固定を解除することにより、回動支持軸２３ｃを中心にして、回動アーム２３を回動することが可能である。これにより、ピアノの消音装置の取り付け作業及び取り外し作業が容易になるというメリットがある。
【００１９】
すなわち、ハンマーレール２５にピアノの消音装置が取り付けられた状態においては、図６に示すように、ピン板２８の下面より回動アーム２３の後方突出部２３ａや消音バー１３の高さの方が高い。この状態では、ピアノの消音装置を含む鍵盤メカユニット２０をピアノの手前側に引き出す方向に移動させようとするとピン板２８と、回動アーム２３の後方突出部２３ａ又は消音バー１３とがぶつかるため、鍵盤メカユニット２０を図６の紙面における左右方向に移動することはできない。
【００２０】
一方、微調整金具固定ねじ３５を取り外して、図９に示すように、後方突出部２３ａを基台２７に近づく方向に回動アーム２３を回動させる。この状態では、回動アーム２３の後方突出部２３ａ、消音バー１３及びハンマー１４は、ピン板２８の下面より寸法ｃだけ低くなるので、鍵盤メカユニット２０を図９の紙面における左右方向に移動することができる。これにより、鍵盤メカユニット２０の鍵１９の高さ調整、レペティション装置７の調整作業及びピアノの消音装置の取付作業並びに取外作業を、ピアノの外で行うことが可能となり、作業性が向上するというメリットが生まれる。
【発明の開示】
【発明が解決しようとする課題】
【００２１】
レペティション装置７の調整を行うためには、ハンマーシャンク１１及びハンマー１４を、図６，９の紙面に対して反時計回りに回動させて、調整の邪魔にならない位置に移動する必要がある。
【００２２】
ここで、背景技術に記載されたピアノの消音装置を取り付けた状態においては、ハンマーシャンク１１及びハンマー１４の反時計回りへの回動は消音バー１３により制限されるため、ハンマーシャンク１１及びハンマー１４のみならず、消音バー１３を支持する回動アーム２３も反時計回りに回動させる必要がある。
【００２３】
しかし、背景技術のピアノの消音装置においては、回動支持軸２３ｃを中心として回動アーム２３を反時計回りに回動させると、図１０に示すように、回動アーム２３の前方突出部２３ｄの先端に設けられたねじ２３ｆが、鍵１９の上面に当たり、回動アーム２３をそれ以上回動することができない。このため、ハンマーシャンク１１及びハンマー１４を調整の邪魔にならない位置に移動することができないことから、背景技術のピアノの消音装置を取り付けた状態のままでは、レペティション装置７の調整を行うことができないとう問題があった。言い換えれば、レペティション装置７の調整を行うためには、背景技術のピアノの消音装置を取り外す必要があるという問題があった。
【００２４】
この発明は、ピアノの消音装置を取り付けた状態のままで、レペティション装置７の調整を可能にするピアノの消音装置及びそのピアノの消音装置が取り付けられたピアノを提供することを目的とする。
【課題を解決するための手段】
【００２５】
この発明によるピアノの消音装置は、弦とハンマーシャンクとの間に配置される回動軸と、回動軸の周面から一方向に突出され、回動軸の第一の回動位置においてハンマーシャンクの先端に設けられたハンマーが弦を叩くのを阻止し、回動軸の第二の回動位置においてハンマーが弦を叩くのを阻止しない消音バーと、ピアノへの取り付け時に回動可能であり、一方の回動遊端において回動軸を支持する回動アーム本体部と、回動アーム本体部の他方の回動遊端に着脱可能に取り付けられている位置決め部とを含む回動アームと、ハンマーレールに取り付けられ、回動アームを固定する回動アーム固定具と、を備える。上記位置決め部は、消音バーの位置を微調整する微調整金具を介して、回動アーム固定具に固定されている。
この発明の消音装置付きピアノは、上記ピアノの消音装置を備える。
【発明の効果】
【００２６】
回動アームの位置決め部と、回動アームの他の部分とを分離することにより、回動支持軸と、回動アームの、消音バーを支持しない方の回動遊端との間の距離を短くすることができる。これにより、その回動遊端が鍵にぶつからないように、回動アームを回動させることができる。このため、ピアノの消音装置を取り付けた状態のままで、レペティション装置７の調整をすることが可能となる。
【発明を実施するための最良の形態】
【００２７】
この発明によるピアノの消音装置は、回動アームの構造のみが背景技術の欄に記載したピアノの消音装置とは異なる。したがって、以下では、その異なる部分を中心に説明する。他の部分は背景技術の欄に記載したピアノの消音装置と同じであるため説明を省略する。
【００２８】
この発明の回動アームは、図１に例示するように、位置決め部３７と回動アーム本体部３８の二部品から構成されている。
位置決め部３７は、取付穴３７ａが形成された有孔部３７ｂと、ねじ３７ｃが突出して設けられたねじ支持部３７ｄとからなる。この例では、位置決め部３７は、板金を折り曲げることにより形成され、有孔部３７ｂとねじ支持部３７ｄとが略垂直になっている。これにより、ねじ３７ｃは、回動アームの回動面に対して平行な方向に突出する。ねじ３７ｃは、ねじ支持部３７ｄに形成した穴にセルスタッド等の圧入式のねじを圧入することにより形成される。
【００２９】
回動アーム本体部３８の前方突出部３８ｄには、ねじ穴３８ｅが形成されている。回動アーム本体部３８の中央突出部３８ｂには、背景技術の欄に記載された回動アーム２３と同様に、回動支持軸３８ｃが突出して設けられている。また、回動アーム本体部３８の後方突出部３８ａは、背景技術の欄に記載された回動アーム２３と同様に、回動軸１２及び消音バー１３を支持する。
【００３０】
位置決め部取付ねじ３９を、位置決め部３７に形成された取付穴３７ａに挿入して、回動アーム本体部３８のねじ穴３８ｅに螺合する。このようにして、位置決め部３７が、回動アーム本体部３８に着脱自在に取り付けられる。
【００３１】
背景技術の欄に記載された回動アーム２３と回動アーム固定具２４と同様に、本発明の回動アームを、回動アーム固定具２４に取り付ける。
すなわち、回動支持軸３８ｃを、略円錐台形であり軸方向の断面がｃ字型のテーパブッシュ２９と、回動アーム固定具２４に形成された穴２４ａとに挿入して、軸固定ナット３６により、回動アームが回動支持軸３８ｃを中心として回動アーム固定具２４に対して回動自在となるように締結する。
【００３２】
また、微調整金具固定ねじ３５を、微調整金具３０の穴３０ｂに挿入して、回動アーム固定具２４のねじ穴２４ｄ’に螺合することにより、微調整金具３０を、回動アーム固定具２４に固定する。
【００３３】
この例では、微調整金具３０’の形状は、背景技術の欄に記載された微調整金具３０の形状とは異なり、両端が異なる側に折り曲げられており、断面が略ｓ字型（又は略逆ｓ字型）になっている（図２参照）。このため、折り曲げられた一方の縁を、連結部２４ｂの下面に係合させることにより、微調整金具固定ねじ３５をねじ穴２４ｄ’に螺合するときに生じ得る微調整金具３０’の回転を防ぐことができる。なお、微調整金具と記載しているが、微調整金具３０’を、金属以外の樹脂等の材料により形成してもよい。
【００３４】
位置決め部３７のねじ３７ｃを、高さ決めナット３１と、微調整金具３０’の長穴３０ａとに挿入する。その状態で、消音バー１３の位置が適切になるように、回動アームの回動位置、言い換えれば、位置決め部３７と微調整金具３０’との距離を調整する。
【００３５】
消音バー１３の位置が決まったら、微調整金具３０’の表裏を、高さ決めナット３１及び微調整金具の表側に位置する微調整固定ナット３２で挟みつけて固定する。これにより、位置決め部３７と微調整金具３０’との間の距離が一定の距離に保たれ、回動アーム２３及び消音バー１３の位置が固定される。
【００３６】
レペティション装置７の調整を行う場合には、位置決め部取付ねじ３９を取り外し、位置決め部３７と、回動アーム本体部３８とを分離する。これにより、回動支持軸３８ｃと、回動アームの、消音バーを支持しない方の回動遊端との距離を短くすることができる。この結果として、その回動遊端が鍵１９の上面にぶつからずに回動アーム本体部３８を回動させて、図２に示す位置に移動することができる。すなわち、回動アーム本体部３８の自重で元の位置まで戻らない位置まで移動することができる。その後、ハンマーシャンク１１及びハンマー１４を、図２の二点鎖線に示す位置に移動する。これにより、ピアノの消音装置を取り外すことなく、レペティション装置７の調整、例えば、レペティションレバースクリュー７ａ（図２参照）の調整を行うことができ、調律全体に要する時間を短縮できる。
【００３７】
［変形例］
図２に示すように、位置決め部３７の、回動アーム本体部３８と接触する面に、少なくとも１つのだぼ又はだぼ穴３７ｅを形成し、回動アーム本体部３８の、位置決め部３７と接触する面に、それらに対応するだぼ穴又はだぼ３８ｆを形成してもよい。だぼと対応するだぼ穴とを嵌め合わせることにより、位置決め部３７と回動アーム本体部３８とを正確な位置で組み合わせることができる。
【００３８】
図３に示すように、位置決め部３７’のねじ３７’ｃを除く部分を樹脂で成形すると共に、ねじ３７’ｃをインサート成形してもよい。これにより、セルスタッド等の高価なねじを使用する必要はなくなるため、製造コストを低減することができる。
【図面の簡単な説明】
【００３９】
【図１】この発明における回動アームを例示する斜視図である。
【図２】この発明の効果を説明するための図。
【図３】位置決め部の変形例を例示する斜視図。
【図４】一般的なグランドピアノの概要を説明するための図。
【図５】一般的なグランドピアノの概要を説明するための図。
【図６】背景技術による回動アームが固定されている状態のピアノの消音装置を横から見た模式図。
【図７】背景技術による回動アームを示す斜視図。
【図８】背景技術によるピアノの消音装置の概略を示す平面図。
【図９】背景技術による回動アームが回動した状態のピアノの消音装置を横から見た模式図。
【図１０】この発明が解決しようとする課題を説明するための図。
【符号の説明】
【００４０】
１０  弦、１１  ハンマーシャンク、１２  回動軸、１３  消音バー、１４  ハンマー、２４  回動アーム固定具、２５  ハンマーレール、３０’  微調整金具、３７  位置決め部、３７’  位置決め部、３８  回動アーム本体部
【図１】
0005176106.tif 000002
【図２】
0005176106.tif 000003
【図３】
0005176106.tif 000004
【図４】
0005176106.tif 000005
【図５】
0005176106.tif 000006
【図６】
0005176106.tif 000007
【図７】
0005176106.tif 000008
【図８】
0005176106.tif 000009
【図９】
0005176106.tif 000010
【図１０】
0005176106.tif 000011